(57)【要約】      （修正有）【課題】動作させるアプリケーションに応じて必要な部分のバックライトのみを点灯させ、内蔵電池の動作時間が長くなるようにした携帯電話装置を提供する。【解決手段】アプリケーションが動作すると、制御部はメモリ中のアプリケーションに対応する操作キーの有効、無効を規定するテーブルを索引する（ステップ31）。操作部のいずれかが操作されたことを検出した場合（ステップ32）、制御部はバックライトの点灯を開始する（ステップ33）。制御部のタイマで設定された点灯時間が経過する前に再度操作を検出し、それが有効キーであるか否かを判断する（ステップ34）。有効キーであれば、タイマで設定された点灯時間が経過するまで有効キーの最近隣部を照明する第１のバックライトおよび表示部を照明する第２のバックライトを点灯継続する（ステップ35）。しかしタイマで設定された点灯時間が経過したならば、バックライトを消灯する（ステップ36）。【選択図】図３
2009027713.tif 000002
【特許請求の範囲】
【請求項１】
操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、動作させるアプリケーションに対応させて前記ナビゲーションキー及び前記テンキーに対して有効キーと無効キーとを割り付け、前記有効キーを操作した場合には、前記有効キーの最近隣部を照明する第１のバックライト及び前記表示部を照明する第２のバックライトのみを点灯させるようにしたことを特徴とする携帯電話装置。
【請求項２】
前記アプリケーションに対応させる有効キーとして、前記ナビゲーションキーの中のスクロールを行うキー並びにダイヤル用に使用する複数の前記テンキーを割り付けたことを特徴とする請求項１記載の携帯電話装置。
【請求項３】
前記アプリケーションとしてゲームを備え、ゲームの内容に応じて前記ナビゲーションキー及びダイヤル用に使用する複数の前記テンキーを有効キーとして割り付けたことを特徴とする請求項２記載の携帯電話装置。
【請求項４】
操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、非音声情報通信モードで動作させるアプリケーションがサイト検索であって前記ナビゲーションキーにおけるスクロールを行うキーを操作している場合には、前記表示部を照明する第２のバックライトのみを点灯させるようにしたことを特徴とする携帯電話装置。
【請求項５】
操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、動作させるアプリケーションに対応させて前記ナビゲーションキー及び前記テンキーに対して有効キーと無効キーとを予め割り付けるテーブルを設け、更にこのテーブルを索引し設定するための有効／無効キー設定操作部を前記キー操作部に設けて、この有効／無効キー設定操作部を操作することによって有効キーと無効キーとを予め割り付けて動作させるようにし、前記有効キーを操作した場合には、前記有効キーの最近隣部を照明する第１のバックライト及び前記表示部を照明する第２のバックライトのみを点灯させるようにしたことを特徴とする携帯電話装置。
【請求項６】
前記アプリケーションを非音声情報通信モードで動作させるアプリケーションとしたことを特徴とする請求項１又は請求項５に記載の携帯電話装置。
【請求項７】
操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、テンキー又は機能操作のキーが操作された場合には、そのキー操作が有効キーか無効キーかを判別し、有効キーであると判別された場合には、前記有効キーの最近隣部を照明する第１のバックライト及び前記表示部を照明する第２のバックライトのみを点灯させるようにしたことを特徴とする請求項１に記載の携帯電話装置。
【発明の詳細な説明】
【技術分野】
【０００１】
本発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置に関し、特に動作させるアプリケーションに応じて必要な部分のバックライトのみを点灯させるようにして内蔵電池の動作時間が長くなるよう構成したものである。
【背景技術】
【０００２】
従来、バックライト機能を有し且つバックライトによる電力消費を極力消費を低減するようにした携帯電話装置は、特開平6-120864号公報および特開平11-284712号公報などにより知られている。
【０００３】
たとえば特開平6-120864号公報においては、バックラトを構成する複数の発光ダイオードを備え、発光ダイオードの全点灯モードの他にその半分を消灯する節電モードによりバッテリの消費電力を節減するものである。
【０００４】
また特開平11-284712号公報においては、筐体部にバックライトのＯＮ／ＯＦＦ操作を行うバックライトキーを設け、バックライトキーのＯＦＦ操作によってバックライトを消灯できるようにして、無駄な電力消費を抑制するものである。
【０００５】
しかしながら、特開平6-120864号公報では、発光ダイオードの全点灯モードを半分消灯する節電モードの条件については所有者が自分で設定して入力しなければならないという煩雑さがあった。また特開平11-284712号公報では、筐体部にバックライトのＯＮ／ＯＦＦ操作を行うバックライトキーを設けているので、バックライト制御のためにバックライトキーを手動で操作しなければならいという煩雑さがあった。
【発明の開示】
【発明が解決しようとする課題】
【０００６】
本発明は、このような問題点を解決するためになされたもので、非音声情報通信モードとか音声情報通信モードとかゲームというように動作させるアプリケーションに応じて必要な部分のバックライトのみを点灯させるようにして内蔵電池の動作時間が長くなるようにした携帯電話装置を提供することを目的とするものである。
【課題を解決するための手段】
【０００７】
本発明の請求項１記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、動作させるアプリケーションに対応させて前記ナビゲーションキー及び前記テンキーに対して有効キーと無効キーとを割り付け、前記有効キーを操作した場合には、前記有効キーの最近隣部を照明する第１のバックライト及び前記表示部を照明する第２のバックライトのみを点灯させるようにしたことを特徴とする携帯電話装置としたものである。この構成により、内蔵電池の動作時間を長くすることができる。
【０００８】
また請求項２記載の発明は、前記アプリケーションに対応させる有効キーとして、前記ナビゲーションキーの中のスクロールを行うキー並びにダイヤル用に使用する複数の前記テンキーを割り付けたことを特徴とする請求項１記載の携帯電話装置としたものである。この構成により、有効キーの操作に対してバックライトを点灯させるので内蔵電池の動作時間を長くすることができる。
【０００９】
また請求項３記載の発明は、前記アプリケーションとしてゲームを備え、ゲームの内容に応じて前記ナビゲーションキー及びダイヤル用に使用する複数の前記テンキーを有効キーとして割り付けたことを特徴とする請求項２記載の携帯電話装置としたものである。この構成により、ゲームの操作においてはテンキーの一部も有効キーとして作動し、その有効キーの操作に対してバックライトを点灯させるので内蔵電池の動作時間を長くすることができる。
【００１０】
また請求項４記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、非音声情報通信モードで動作させるアプリケーションがサイト検索であって前記ナビゲーションキーにおけるスクロールを行うキーを操作している場合には、前記表示部を照明する第２のバックライトのみを点灯させるようにしたことを特徴とする携帯電話装置としたものである。この構成により、ナビゲーションキーにおける方向スクロールだけを操作している場合には、前記表示部のバックライトだけを点灯させるので内蔵電池の動作時間を長くすることができる。
【００１１】
また請求項５記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、動作させるアプリケーションに対応させて前記ナビゲーションキー及び前記テンキーに対して有効キーと無効キーとを予め割り付けるテーブルを設け、更にこのテーブルを索引し設定するための有効／無効キー設定操作部を前記キー操作部に設けて、この有効／無効キー設定操作部を操作することによって有効キーと無効キーとを予め割り付けて動作させるようにし、前記有効キーを操作した場合には、前記有効キーの最近隣部を照明する第１のバックライト及び前記表示部を照明する第２のバックライトのみを点灯させるようにしたことを特徴とする携帯電話装置としたものである。この構成により、内蔵電池の動作時間を長くすることができる。
【００１２】
また請求項６記載の発明は、前記アプリケーションを非音声情報通信モードで動作させるアプリケーションとしたことを特徴とする請求項１又は請求項５に記載の携帯電話装置としたものである。この構成により、非音声情報通信モードにおけるアプリケーションにおいて有効キーの操作に対してバックライトを点灯させるので内蔵電池の動作時間を長くすることができる。
【００１３】
また請求項７記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、テンキー又は機能操作のキーが操作された場合には、そのキー操作が有効キーか無効キーかを判別し、有効キーであると判別された場合には、前記有効キーの最近隣部を照明する第１のバックライト及び前記表示部を照明する第２のバックライトのみを点灯させるようにしたことを特徴とする請求項１に記載の携帯電話装置としたものである。この構成により、内蔵電池の動作時間を長くすることができる。
【発明の効果】
【００１４】
本発明の請求項１記載の発明は、表示部と、操作部のテンキー及び機能操作キーの照明を行うバックライト機能を有し、機能操作キーには、少なくとも１つのキー装置で上下及び左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、非音声情報通信モードで動作させるアプリケーションに対応させて前記ナビゲーションキー及び前記テンキーに対して有効キーと無効キーとを割り付け、前記有効キーを操作した場合には、前記有効キーの最近隣部を照明する第１のバックライト及び前記表示部を照明する第２のバックライトのみを点灯させるようにし、前記無効キーの最近隣部を照明する第１のバックライト及び前記表示部を照明するバックライトは点灯させないようにしたことを特徴とする携帯電話装置としたものである。この構成により、内蔵電池の動作時間を長くすることができるという効果を有する。
【００１５】
また請求項２記載の発明は、前記アプリケーションに対応させる有効キーとして、前記ナビゲーションキーの中の上下及び左右方向へのスクロールを行うキー並びにダイヤル用に使用する複数の前記テンキーを割り付けたことを特徴とする請求項１記載の携帯電話装置としたものである。この構成により、有効キーの操作に対してバックライトを点灯させるので内蔵電池の動作時間を長くすることができるという効果を有する。
【００１６】
また請求項３記載の発明は、前記アプリケーションとしてゲームを備え、ゲームの内容に応じて前記ナビゲーションキー及びダイヤル用に使用する複数の前記テンキーを有効キーとして割り付けたことを特徴とする請求項２記載の携帯電話装置としたものである。この構成により、ゲームの操作においてはテンキーの一部も有効キーとして作動し、その有効キーの操作に対してバックライトを点灯させるので内蔵電池の動作時間を長くすることができるという効果を有する。
【００１７】
また請求項４記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、非音声情報通信モードで動作させるアプリケーションがサイト検索であって前記ナビゲーションキーにおけるスクロールを行うキーを操作している場合には、前記表示部を照明する第２のバックライトのみを点灯させるようにしたことを特徴とする携帯電話装置としたものである。この構成により、ナビゲーションキーにおける方向スクロールだけを操作している場合には、前記表示部のバックライトだけを点灯させるので内蔵電池の動作時間を長くすることができるという効果を有する。
【００１８】
また請求項５記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、動作させるアプリケーションに対応させて前記ナビゲーションキー及び前記テンキーに対して有効キーと無効キーとを予め割り付けるテーブルを設け、更にこのテーブルを索引し設定するための有効／無効キー設定操作部を前記キー操作部に設けて、この有効／無効キー設定操作部を操作することによって有効キーと無効キーとを予め割り付けて動作させるようにし、前記有効キーを操作した場合には、前記有効キーの最近隣部を照明する第１のバックライト及び前記表示部を照明する第２のバックライトのみを点灯させるようにしたことを特徴とする携帯電話装置としたものである。この構成により、内蔵電池の動作時間を長くすることができるという効果を有する。
【００１９】
また請求項６記載の発明は、前記アプリケーションを非音声情報通信モードで動作させるアプリケーションとしたことを特徴とする請求項１又は請求項５に記載の携帯電話装置としたものである。この構成により、非音声情報通信モードにおけるアプリケーションにおいて有効キーの操作に対してバックライトを点灯させるので内蔵電池の動作時間を長くすることができるという効果を有する。
【００２０】
また請求項７記載の発明は、操作部のテンキー及び機能操作キーと表示部の照明を行うバックライト機能を有し、機能操作キーには、少なくとも上下又は左右の方向スクロールと選択決定の操作を行うナビゲーションキーを含むようにし、テンキー入力又は機能操作のキー操作が終了した後、点灯しているバックライトを一定時間後の経過後に消灯するようにした携帯電話装置において、テンキー又は機能操作のキーが操作された場合には、そのキー操作が有効キーか無効キーかを判別し、有効キーであると判別された場合には、前記有効キーの最近隣部を照明する第１のバックライト及び前記表示部を照明する第２のバックライトのみを点灯させるようにしたことを特徴とする請求項１に記載の携帯電話装置としたものである。この構成により、内蔵電池の動作時間を長くすることができるという効果を有する。
【発明を実施するための最良の形態】
【００２１】
以下、本発明の実施の形態について、図１から図６を用いて説明する。
（第１の実施の形態）
図１は、本発明の実施の形態に係る携帯電話機、例えば非音声情報通信モード（ｉモード機能）を備える携帯電話機の構造を示す概略図である。図１において本発明の実施の形態に係る携帯電話機は、アンテナ１と、着信／充電ランプ２と、受話器３と、液晶表示器４と、電話帳ボタンを兼ねる左ソフトキー５と、通話開始ボタン６と、テンキー又はダイヤルキー７と、非音声情報通信モード（ｉモード機能）で登録したサイト（番組）を表示させることができるｉワープキー８と、送話器９と、外部接続端子10と、ボイス／マナーキー11と、電源／終了／応答保留キー12と、リダイヤル／クリアボタンを兼ねる右ソフトキー13と、スクロール機能を兼ねて上下左右の各方向に表示を選択することができ、中心のボタンを押すことにより選択決定を行なうナビゲーションキー14と、イヤホンマイク端子15と、赤外線ポート16とを備えるようにしてある。なお、非音声情報通信モードとは、デジタル携帯電話機を使用したオンラインデータサービスの動作モードのことで、センターに登録されているサイト（番組）接続サービスや、インターネット接続サービス、メッセージサービス、ｉモードメールなどが利用できるものである。
【００２２】
図２は上記構成の携帯電話機を実現するための回路ブロックを示すものである。図２において携帯電話機は、アンテナ20で受信した電波は無線通信部21の受信部（図示せず）で受けて、受信情報を制御部22に伝える。制御部22は受信した電話番号などの受信情報を液晶表示装置などの表示部23に表示する。また制御部22は受信情報を音声情報に変換して受話部のスピーカ（受話器）25で音声出力する。また送話器（マイク）26は利用者の音声を受けて制御部22に伝え、無線通信部21の送信部（図示せず）とアンテナ20により通話相手先に無線送信する。制御部22はメモリ27に通話中の通話内容などの音声情報を記憶させ、あるいは記憶してある情報を読み出すようにしている。
【００２３】
テンキー操作部29はテンキーの操作によってダイヤル信号などを制御部22に入力し、また機能操作キー操作部28は例えばナビゲーションキーの操作を制御部22に入力するものである。なお、通話モードにおいてテンキーおよび機能操作キーを操作すると、第１のバックライト24及び第２のバックライト24’が点灯し、キー操作が明確になるようにしているが、本発明においては、非音声情報通信モード等の動作させるアプリケーションによって必要な部分のバックライトのみを点灯させて、内蔵する電池の動作時間が長くなるようにしている。これについては、後で詳細に説明する。これらの回路ブロックは、図１の筺体内に収納されている。
【００２４】
図３は動作させるアプリケーションによって第１及び第２のバックライトの点灯／消灯を制御するための動作を説明する第１の実施形態におけるフローチャートである。図３及び図２において何らかのアプリケーションを動作させるために、操作部28、29のいずれかが操作されたことを制御部22で検出した場合（ステップ31）、制御部22では第１のバックライト24及び第２のバックライト24’の点灯を開始する（ステップ32）。
【００２５】
次に、制御部22はメモリ27の中のアプリケーションに対応する操作キーの有効、無効を規定するテーブルを索引すると共に制御部22のタイマで設定された点灯時間が経過する前に再度操作部28、29のいずれかが操作されたことを制御部22が検出し、それが有効キーであるか否かを判断する（ステップ33）。
そして有効キーであれば、制御部22のタイマで設定された点灯時間が経過するまで有効キーの最近隣部を照明する第１のバックライト24および表示部を照明する第２のバックライト24’を点灯継続する（ステップ34）。ここで、前記タイマで設定された時間が経過する前に次々と有効キーが押されればタイマはリセットされ、有効キーの最近隣部を照明する第１のバックライト24および表示部を照明する第２のバックライト24’は継続して点灯することになる。
しかし制御部22のタイマで設定された点灯時間が経過したならば、第１のバックライト24及び第２のバックライト24’を消灯する（ステップ35）。
【００２６】
一方、ステップ33で有効キーでなければ、それが制御部22のタイマで設定された点灯時間が経過するまではたとえ無効キーであってもステップ32で点灯開始された第１のバックライト24および表示部を照明する第２のバックライト24’を点灯継続する（ステップ36）。しかし制御部22のタイマで設定された点灯時間が経過したならば、第１のバックライト24及び第２のバックライト24’を消灯する（ステップ37）。
【００２７】
図４はメモリ27に設けられるアプリケーションに対応させてテンキーおよびナビゲーションキーの有効、無効を規定するテーブルの例を示すものである。たとえば非音声情報通信モード（ｉモード）でのサイト検索のアプリケーションでは、ナビゲーションキーの上下及び左右の方向スクロールは有効で、ナビゲーションキーの選択決定は無効、テンキーは無効と規定する。但し、アプリケーションの途中で文字入力の場合には無効のものも有効にする。したがって、このアプリケーションではテンキーを操作してもバックライトは点灯しないので、内蔵電池の動作時間の減少を防ぐことができる。
【００２８】
また、ゲームアプリケーションでは、テンキーの中のダイヤル用キー２、４、６、８をゲームの操作キーに割り当てるので有効、それ以外のダイヤル用キーについては無効、また機能操作キーは有効と規定する。したがって、テンキーの中のダイヤル用キーの操作であってもゲームアプリケーションに関係するダイヤル用キーの操作のみ点灯するので、内蔵電池の動作時間の長くすることができる。
【００２９】
なお、動作させるアプリケーションに対応させて前記ナビゲーションキー及び前記テンキーに対して有効キーと無効キーとを予め割り付けるテーブルを索引し設定するための有効／無効キー設定操作部を前記キー操作部に設けて、この有効／無効キー設定操作部を操作することによって有効キーと無効キーとを予め割り付けて動作させることもできる。
【００３０】
（第２の実施の形態）
次に、本発明の第２の実施の形態の動作を図５のフローチャートを用いて説明する。前記第１の実施の形態では、操作部28、29のいずれかが操作されたことを検出すると前記第１のバックライト24と第２のバックライト24’を点灯することにしていたが（図３、ステップ32参照）、本発明の第２の実施の形態では、操作部が操作されたら（ステップ41）、操作されたキーが有効キーか無効キーかを判別する（ステップ42）。有効キーであれば、有効キーの最近隣部を照明する第１のバックライト24及び表示部を照明する第２のバックライト24’の点灯する（ステップ43）。
【００３１】
その後、タイマに設定された点灯時間が経過すれば（ステップ44）、前記第１のバックライト24と第２のバックライト24’を消灯する（ステップ45）。なお、タイマに設定された点灯時間が経過する前に次々と有効キーが押されれば、タイマはリセットされ、前記第１のバックライト24と第２のバックライト24’は継続して点灯ことになる。ステップ42で無効キーと判別されたときには、バックライトの点灯は行われないようにしている。
【００３２】
このように第２の実施の形態によれば、操作開始時点からアプリケーションに対応した範囲の点灯を行えるという利点がある。
【産業上の利用可能性】
【００３３】
本発明は、非音声情報通信モードとか音声情報通信モードとかゲームというように動作させるアプリケーションに応じて必要な部分のバックライトを点灯のみを点灯させるようにして内蔵電池の動作時間が長くなるよう構成した携帯電話装置等に有用である。
【図面の簡単な説明】
【００３４】
【図１】本発明の実施形態に係る携帯電話機の構成を示す正面図、
【図２】図１の携帯電話機を実現するための回路ブロックを示す図、
【図３】動作させるアプリケーションによってバックライトの点灯／消灯を制御するための動作を説明する第１の実施形態におけるフローチャート、
【図４】アプリケーションに対応させてテンキーおよびナビゲーションキーの有効、無効を規定するテーブルの例、
【図５】動作させるアプリケーションによってバックライトの点灯／消灯を制御するための動作を説明する第２の実施形態のフローチャートである。
【符号の説明】
【００３５】
１、20  アンテナ
２  着信／充電ランプ
３、25  受話器
４、23  液晶表示器
５  左ソフトキー
６  通話開始キー
７  テンキー
８  ｉワープキー
９、26  送話器
10  外部接続端子
11  ボイス／マナーキー
12  電源／終了／応答保留キー
13  右ソフトキー
14  ナビゲーションキー
15  イヤホンマイク端子
16  赤外線ポート
21  無線通信部
22  制御部
24  第１のバックライト
24'  第２のバックライト
27  メモリ
28  機能操作キー操作部
29  テンキー操作部
【図１】
2009027713.tif 000003
【図２】
2009027713.tif 000004
【図３】
2009027713.tif 000005
【図４】
2009027713.tif 000006
【図５】
2009027713.tif 000007